(57)【要約】      （修正有）【課題】構造が簡素であり、各指状部材が人体の腹部の大腸と小腸とをゆっくり按摩することにより、宿便を排出することが可能となり、人体の代謝を促進し健康を保持することが可能な腹部押さえ装置を提供する。【解決手段】人体の腹部を脱着可能に覆い可能な覆いバンド１と、ほぼ円形を呈し、覆いバンド１の内側の表面に設けられており、人体の腹部の大腸と小腸との位置に対応するレールユニット２と、レールユニット２に移動可能に嵌合されており、レールユニット２に沿ってサイクルに移動可能であり、人体の腹部の大腸と小腸とを押さえる押さえユニット３と、有線または無線方式によって押さえユニット３を制御して作動させる制御器と、を含む。【選択図】図２
0003209089.tif 000002
【実用新案登録請求の範囲】
【請求項１】
人体の腹部を脱着可能に覆い可能な覆いバンドと、
ほぼ円形を呈し、前記覆いバンドの内側の表面に設けられており、人体の腹部の大腸と小腸との位置に対応するレールユニットと、
前記レールユニットに移動可能に嵌合されており、前記レールユニットに沿ってサイクルに移動可能であり、人体の腹部の大腸と小腸とを押さえる押さえユニットと、
有線または無線方式によって前記押さえユニットを制御して作動させる制御器と、
を含むことを特徴とする腹部押さえ装置。
【請求項２】
前記レールユニットはダブル凹みレールを有することを特徴とする、請求項１に記載の腹部押さえ装置。
【請求項３】
前記押さえユニットは、本体と、二つの突出連接部材と、複数の指状部材と、を有し、前記二つの突出連接部材は、互いに距離を置いて前記本体の一側面に設けられており、前記ダブル凹みレールとそれぞれ嵌合し、前記指状部材は、前記本体の他側面に取替え可能に設けられていることを特徴とする、請求項２に記載の腹部押さえ装置。
【請求項４】
前記レールユニットは、更に、押し部材を含み、前記押し部材は、前記制御器と電気的に接続し、前記ダブル凹みレールに沿って移動するように前記押さえユニットを押すことを特徴とする、請求項２に記載の腹部押さえ装置。
【請求項５】
前記レールユニットは、更に、押し部材を含み、前記押し部材は、前記制御器と電気的に接続し、前記ダブル凹みレールに沿って移動するように前記押さえユニットを押すことを特徴とする、請求項３に記載の腹部押さえ装置。
【請求項６】
前記押し部材は、ギア押し手段または磁気押し手段を採用することを特徴とする、請求項４に記載の腹部押さえ装置。
【請求項７】
前記押し部材は、ギア押し手段または磁気押し手段を採用することを特徴とする、請求項５に記載の腹部押さえ装置。
【考案の詳細な説明】
【技術分野】
【０００１】
本考案は、按摩装置に関し、特に、人体の腹部の大腸と小腸との経穴を押さえることにより、宿便を排出可能な腹部押さえ装置に関するものである。
【背景技術】
【０００２】
現在、仕事によるストレスが高く、昼夜逆転するように暮らし、飲食が正常ではないため、消化システムに問題がある国民は多い。その結果、排便が不順調となる。
【０００３】
排便が不順調であるという問題を解決する方法は、飲食をコントロールし、又は薬物によって治療することを採用することが一般的である。しかし、消化システムを直接に物理的に施療し、又は按摩する装置は、市販されていない。
【０００４】
排便が不順調であるという問題を解決するために、飲食をコントロールし、又は薬物よって治療することを採用すると、治療効果が良くなく、体に悪影響を与える可能性がある。
【０００５】
従来の腹部按摩装置は、腹部に対して振動按摩を行うが、人体の腹部の大腸と小腸との経穴を押さえることはないため、宿便を排出する効果が良くない。
【考案の概要】
【考案が解決しようとする課題】
【０００６】
本考案の主な目的は、構造が簡素であり、押さえユニットが、円形を呈するレールユニットに沿って時計方向にゆっくり移動することにより、各指状部材（人間の指に類似するもの）が人体の腹部の大腸と小腸とをゆっくり按摩して、宿便を排出することが可能となり、人体の代謝を促進し健康を保持することが可能な腹部押さえ装置を提供することにある。
【課題を解決するための手段】
【０００７】
本考案の腹部押さえ装置によると、人体の腹部を脱着可能に覆い可能な覆いバンドと、
ほぼ円形を呈し、覆いバンドの内側の表面に設けられており、人体の腹部の大腸と小腸との位置に対応するレールユニットと、
レールユニットに移動可能に嵌合されており、レールユニットに沿ってサイクルに移動可能であり、人体の腹部の大腸と小腸とを押さえる押さえユニットと、
有線または無線方式によって押さえユニットを制御して作動させる制御器と、
を含むことを特徴とする。
【０００８】
本考案の腹部押さえ装置によると、レールユニットはダブル凹みレールを有することを特徴とする。
【０００９】
本考案の腹部押さえ装置によると、押さえユニットは、本体と、二つの突出連接部材と、複数の指状部材と、を有し、二つの突出連接部材は、互いに距離を置いて本体の一側面に設けられており、ダブル凹みレールとそれぞれ嵌合し、指状部材は、本体の他側面に取替え可能に設けられていることを特徴とする。
【００１０】
本考案の腹部押さえ装置によると、レールユニットは、更に、押し部材を含み、押し部材は、制御器と電気的に接続し、ダブル凹みレールに沿って移動するように押さえユニットを押すことを特徴とする。
【００１１】
本考案の腹部押さえ装置によると、レールユニットは、更に、押し部材を含み、押し部材は、制御器と電気的に接続し、ダブル凹みレールに沿って移動するように押さえユニットを押すことを特徴とする。
【００１２】
本考案の腹部押さえ装置によると、押し部材は、ギア押し手段または磁気押し手段を採用することを特徴とする。
【００１３】
本考案の腹部押さえ装置によると、押し部材は、ギア押し手段または磁気押し手段を採用することを特徴とする。
【考案の効果】
【００１４】
本考案の腹部押さえ装置によれば、構造が簡素であり、押さえユニットが、円形を呈するレールユニットに沿って時計方向にゆっくり移動することにより、各指状部材（人間の指に類似するもの）が人体の腹部の大腸と小腸とをゆっくり按摩して、宿便を排出することが可能となり、人体の代謝を促進し健康を保持することが可能であるという効果を有する。
【図面の簡単な説明】
【００１５】
【図１】本考案に係る腹部押さえ装置の内側の一部を示す分解斜視図である。
【図２】本考案に係る腹部押さえ装置の内側を示す斜視図である。
【図３】本考案に係る腹部押さえ装置の外側を示す透視斜視図である。
【図４】本考案に係る腹部押さえ装置の押さえユニットとレール部材の一部とを示す拡大図である。
【図５】本考案に係る腹部押さえ装置の押さえユニットを示す分解斜視図である。
【図６】本考案に係る腹部押さえ装置の押さえユニットを示す透視斜視図である。
【図７】本考案に係る腹部押さえ装置の押さえユニットの指状部材の長さが図６に示す指状部材の長さより短いことを示す透視斜視図である。
【図８】本考案に係る腹部押さえ装置の押さえユニットの指状部材の長さが図７に示す指状部材の長さより短いことを示す透視斜視図である。
【図９】本考案に係る腹部押さえ装置の押さえユニットを示す断面図である。
【図１０】本考案に係る腹部押さえ装置の外側を示す平面図である。
【図１１】本考案に係る腹部押さえ装置が人体の腹部を覆う状態を示す図である。
【図１２】本考案に係る腹部押さえ装置の構成を示すブロック図である。
【考案を実施するための形態】
【００１６】
以下、本考案の実施の形態を図面に基づいて説明する。
【００１７】
図１及び図１１を参照する。本考案に係る腹部押さえ装置１００は、覆いバンド１と、レールユニット２と、押さえユニット３と、制御器４と、を含む。
【００１８】
覆いバンド１は、図１に示すように、人体２００の腹部２１０を脱着可能に覆い可能である。
【００１９】
レールユニット２は、ほぼ円形を呈し、覆いバンド１の内側の表面に設けられており、人体２００の腹部２１０の大腸と小腸との位置に対応する。
【００２０】
押さえユニット３は、レールユニット２に移動可能に嵌合されており、レールユニット２に沿ってサイクルに移動可能であり、人体２００の腹部２１０の大腸と小腸とを押さえる。押さえユニット３の大腸と小腸とに対する押さえにより、宿便を排出可能である。
【００２１】
制御器４は、切替スイッチまたは制御スイッチであり、有線または無線方式によって押さえユニット３を制御して作動させる。有線方式によって押さえユニット３を制御する場合には、図３及び図８に示すように、制御器４が覆いバンド１の外側面に設けられている。無線方式によって押さえユニット３を制御する場合には、制御器４がリモートコントローラである。
【００２２】
レールユニット２はダブル凹みレール２１を有する。押さえユニット３は、本体３１と、二つの突出連接部材３２と、複数の指状部材３３と、を有する。本実施例では、指状部材３３が四つあるが、もちろん、本考案はこれらに限定されない。二つの突出連接部材３２は、互いに距離を置いて本体３１の一側面に設けられており、ダブル凹みレール２１とそれぞれ嵌合する。指状部材３３は、図６、図７及び図８に示すように、異なる長さを有する指状部材３３に取り替えることが可能である。二つの突出連接部材３２がダブル凹みレール２１と嵌合するため、押さえユニット３はレールユニット２に沿ってサイクルに安定的に移動可能である。
【００２３】
押さえユニット３は、図１２に示すように、押し部材５に押されて、レールユニット２に沿って移動する。押し部材５は、レールユニット２または押さえユニット３に設けられている。押し部材５は、ギアのような機械的方式、又は磁気による吸引力／斥力の方式を採用する。
【００２４】
上記の構成によれば、構造が簡素であり、押さえユニット３が、円形を呈するレールユニット２に沿って時計方向にゆっくり移動することにより、各指状部材３３（人間の指に類似するもの）が人体２００の腹部２１０の大腸と小腸とをゆっくり按摩して、宿便を排出することが可能となり、人体の代謝を促進し健康を保持することが可能である。
【００２５】
このように、本考案の特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００２６】
本考案は、人体の腹部を按摩する健康器具に適用することができる。
【符号の説明】
【００２７】
１      覆いバンド
２      レールユニット
３      押さえユニット
４      制御器
５      押し部材
２１    ダブル凹みレール
３１    本体
３２    突出連接部材
３３    指状部材
１００  腹部押さえ装置
２００  人体
２１０  腹部
【図１】
0003209089.tif 000003
【図２】
0003209089.tif 000004
【図３】
0003209089.tif 000005
【図４】
0003209089.tif 000006
【図５】
0003209089.tif 000007
【図６】
0003209089.tif 000008
【図７】
0003209089.tif 000009
【図８】
0003209089.tif 000010
【図９】
0003209089.tif 000011
【図１０】
0003209089.tif 000012
【図１１】
0003209089.tif 000013
【図１２】
0003209089.tif 000014